(57)【特許請求の範囲】
【請求項１】
建物の傾斜した屋根面に設けた採光用開口の周縁に立ち上がり枠を設け、複数枚のガラスの周縁間に封止スペーサを介して一体化した複層ガラスを複層ガラスの周縁が立ち上がり枠の上部の載置面上に位置するように配置し、複層ガラスをセッテングするためのセッテング材を複層ガラスの周縁と立ち上がり枠の載置面との間に介装し、複層ガラスの周縁の上面を覆うように上カバーを被着した採光窓において、立ち上がり枠の水下側に位置する水下側立ち上がり枠部上では水下側のセッテング材を水下側立ち上がり枠部の全長に亙るように介装し、複層ガラスの下面に結露した結露水を受ける水受け部を水下側立ち上がり枠部の載置面と水下側のセッテング材の複層ガラスの下面に沿わせる部分との間に全長に亙って形成し、水受け部に溜まった結露水を外部に排出するための排水溝を水下側のセッテング材の下面に凹設し、水下側のセッテング材の複層ガラスの下面に沿わせる部分の下面を水下側から水上側に行くほど複層ガラスの下面に近接し且つ水上側の端部では複層ガラス下面と略面一になるように傾斜した傾斜面とし、この傾斜面を複層ガラスの下面から排水溝の部分まで亙って連続するように形成して成ることを特徴とする採光窓の結露水の排水構造。
【請求項２】
水下側のセッテング材の複層ガラスの下面に沿わせる部分の水上側の先端を、複層ガラスの水下側に沿う封止スペーサの水上側の端縁より水上側に位置させたことを特徴とする請求項１記載の採光窓の結露水の排水構造。
【請求項３】
水下側立ち上がり枠部の載置面の水上側の端縁に水受け部から水が零れるのを防止するための隆起部を設けて成ることを特徴とする請求項１または請求項２に記載の採光窓の結露水の排水構造。
【発明の詳細な説明】
【０００１】
【発明の属する技術分野】
本発明は、屋根に採光のために設けた採光窓で複層ガラスの下面に結露した結露水を外部に排水する構造に関するものである。
【０００２】
【従来の技術】
従来の密閉式の採光窓は、建物の傾斜した屋根面に設けた採光用開口の周縁に木材や合成樹脂製の立ち上がり枠１を設け、複数枚のガラス２，３の周縁間に封止スペーサ４を介して一体化した複層ガラス５を複層ガラス５の周縁が立ち上がり枠１の上部の載置面６上に位置するように配置し、複層ガラス５をセッテングするためのセッテング材７を複層ガラス５の周縁と立ち上がり枠１の載置面６との間に介装し、複層ガラス５の周縁の上面を覆うようにアルミニウムのような金属の上カバー８を被着してある。上カバー８と複層ガラス５の上面との間には防水パッキン９を介装してあり、この防水パッキン９にてこれらの間をシールしてある。上記セッテング材７はゴム、合成樹脂等で形成されており、比較的断熱性がある。
【０００３】
複層ガラス５と立ち上がり枠１の載置面６との間にはセッテング材７が介装されるが、水下側では図６、図７に示すように立ち上がり枠１の水下側立ち上がり枠部１ａの載置面６と複層ガラス５との間にセッテング材７としてセッテングブロック７ａ′が介装される。このセッテングブロック７ａ′は水下側立ち上がり枠部１ａの全長に亙るのでなく、ブロック小片からなり、左右にセッテングブロック７ａ′間隔を隔てて２個並べてあり、これら間隔を隔てた２個のセッテングブロック７ａ′によりできる隙間にて排水路１０′が形成してある。これにより複層ガラス５の下面に結露した結露水Ｗが水下側立ち上がり枠部１ａの載置面６上の水受け部１１に受けられ、この結露水Ｗが排水路１０′を通って外部に排水されるようになっている。セッテングブロック７ａ′の水上側の先端はガラス面に対して垂直な垂直面ａとなっており、セッテングブロック７ａ′の複層ガラス５の下面に沿う部分の下面は垂直面ａ側に行くほどガラス面に近接する方向に傾斜する傾斜面ｂとしてある。水下側の立ち上がり枠部１ａの上ではセッテングブロック７ａ′と上カバー８を固定するためにアルミニウムのような金属で形成せる支持材１２が設けられている。
【０００４】
【発明が解決しようとする課題】
上記のような採光窓の構造では、複層ガラス５の下面に結露した結露水Ｗが水勾配に沿って水下側に流れ、水受け部１１に結露水Ｗが受けられ、セッテングブロック７ａ間の排水路１０′を通り、支持材１２の下を通り外部に排水されるようになっているが、以下のような問題があった。
【０００５】
１）．セッテングブロック７ａ′のない部位では複層ガラス５の下面が外気に接して冬季には大きく温度が下がりやすく、ガラス結露量が増大したり、凍結促進したりしやすいという問題がある。このようにガラス結露量が増大したり凍結した場合、結露水Ｗが排水されにくくなり、結露水Ｗが室内に滴下しやすくなる。
【０００６】
２）．セッテングブロック７ａ′のある部分でもセッテングブロック７ａ′のガラス下面に沿う部分の水上側の先端が封止スペーサ４の水上側の端縁よりｃ寸法だけ水下側に位置し、アルミニウムで主体が構成せる封止スペーサ４の部分を完全に覆っていなく、この点でもガラス下面の温度が下がりやすく、ガラス結露量が増大したり、凍結促進したりしやすいという問題がある。
【０００７】
３）．セッテングブロック７ａ′の水上側の端部には垂直面ａを有するためにこの部分に結露水Ｗが滞留しやすくなり、結露水Ｗが滞留、凍結しやすくなり、室内に結露水Ｗが滴下しやすくなるという問題がある。
【０００８】
４）．アルミニウムのような金属の支持材１２の下を結露水Ｗが流れるとき、支持材１２から伝熱される冷熱で結露水の凍結が促進されるという問題がある。
【０００９】
本発明は上記の点に鑑みてなされたものであり、冬季の寒波到来時など氷点下の日が続くような天候時でも結露水の室内の滴下を大幅に減少することができる採光窓の結露水の排水構造を提供することを課題とするものである。
【００１０】
【課題を解決するための手段】
上記課題を解決するための本発明の採光窓の結露水の排水構造は、建物の傾斜した屋根面に設けた採光用開口の周縁に立ち上がり枠１を設け、複数枚のガラス２，３の周縁間に封止スペーサ４を介して一体化した複層ガラス５を複層ガラス５の周縁が立ち上がり枠１の上部の載置面６上に位置するように配置し、複層ガラス５をセッテングするためのセッテング材７を複層ガラス５の周縁と立ち上がり枠１の載置面６との間に介装し、複層ガラス５の周縁の上面を覆うように上カバー８を被着した採光窓において、立ち上がり枠１の水下側に位置する水下側立ち上がり枠部１ａ上では水下側のセッテング材７ａを水下側立ち上がり枠部１ａの全長に亙るように介装し、複層ガラス５の下面に結露した結露水Ｗを受ける水受け部１１を水下側立ち上がり枠部１ａの載置面６と水下側のセッテング材７ａの複層ガラス５の下面に沿わせる部分との間に全長に亙って形成し、水受け部１１に溜まった結露水Ｗを外部に排出するための排水溝１０を水下側のセッテング材７ａの下面に凹設し、水下側のセッテング材７ａの複層ガラス５の下面に沿わせる部分の下面を水下側から水上側に行くほど複層ガラス５の下面に近接し且つ水上側の端部では複層ガラス５下面と略面一になるように傾斜した傾斜面１３とし、この傾斜面１３を複層ガラス５の下面から排水溝１０の部分まで亙って連続するように形成して成ることを特徴とする。複層ガラス５の下面に結露した結露水Ｗは水勾配に沿ってガラス下面を流れて水受け部１１に受けられ、水受け部１１に受けられた結露水Ｗが排水溝１０を通って外部に排水され、結露水Ｗが室内に滴下するおそれがなくなる。このとき立ち上がり枠１の水下側に位置する水下側立ち上がり枠部１ａ上では水下側のセッテング材７ａを水下側立ち上がり枠部１ａの全長に亙るように介装してあると共に排水溝１０を水下側のセッテング材７ａの下面に凹設してあることにより水下側のセッテング材７ａと載置面６との間に排水溝１０を設けるものでも、複層ガラス５の水下側の端部の下面が断熱性のあるセッテング材７ａにて全長に亙って覆われることで複層ガラス５の水下側が冬季に冷気に晒されることがなくなり、結露を抑えることができると共に排水部分に凍結するおそれが少なくなり、室内に結露水Ｗが滴下するおそれが少なくなる。また複層ガラス５の下面に結露した結露水Ｗが水下側に流れて水受け部１１を介して排水溝１０から排水されるとき、結露水Ｗが傾斜面１３に沿って滞留することなく、スムーズに流れる。これにより、結露水Ｗがセッテング材７ａの部分に滞留したり滞留して凍結したりすることがなくなり、室内に結露するおそれが少なくなり、室内に結露水Ｗが滴下するおそれが少なくなる。
【００１２】
また水下側のセッテング材７ａの複層ガラス５の下面に沿わせる部分の水上側の先端を、複層ガラス５の水下側に沿う封止スペーサ４の水上側の端縁より水上側に位置させたことを特徴とすることも好ましい。この場合、封止スペーサ４から冷熱の伝熱を抑制でき、複層ガラス５の水下側の温度低下を抑制し、結露や凍結を抑制できる。
【００１３】
また水下側立ち上がり枠部１ａの載置面６の水上側の端縁に水受け部１１から水が零れるのを防止するための隆起部１４を設けて成ることを特徴とすることも好ましい。この場合、水受け部１１に受けられた結露水Ｗが水上側に行くのが阻止され、たとえ凍結しても室内に結露水Ｗが零れるのを抑えることができる。
【００１４】
【発明の実施の形態】
図１乃至図４は本発明の実施の形態の一例を示す。建物の傾斜した屋根面には採光用開口を開口してあり、この採光用開口にはこの周縁から立ち上がるように立ち上がり枠１を全周に亙って立設してある。この立ち上がり枠１は水下側立ち上がり枠部１ａと水上側立ち上がり枠部１ｂと両側の側部立ち上がり枠部１ｃとで矩形枠状に形成されている。水下側立ち上がり枠部１ａの上端には略平坦な載置面６を設けてある。水上側立ち上がり枠部１ｂや側部立ち上がり枠部１ｃの上部にも水下側立ち上がり枠部１ａの載置面６と面一の載置面６を設けてあるが、水上側立ち上がり枠部１ｂや側部立ち上がり枠部１ｃには外側の位置にさらに上方に突出する支持台部１５を全長に亙って設けてある。
【００１５】
複層ガラス５は上下のガラス２，３の周縁間に封止スペーサ４を介装して一体化することで形成されている。封止スペーサ４はアルミニウムのような金属を主体として形成されているが、この封止スペーサ４にて周囲の気密を確保してある。複層ガラス５内は真空または減圧してあって、断熱構造にしてある。この複層ガラス５は立ち上がり枠１の上に配置され、複層ガラス５の周縁は立ち上がり枠１の載置面６の上に配置されている。この複層ガラス５を取り付けるとき、載置面６の上に合成樹脂やゴム等のセッテング材７を介して取り付けられ、セッテング材７にて複層ガラス５が所定位置に位置決めして取り付けられる。セッテング材７には水下側立ち上がり枠部１ａの上に取り付けられる水下側のセッテング材７ａと、水上側の立ち上がり枠部１ｂの上に取り付けられる水上側のセッテング材７ｂと、側部立ち上がり枠部１ｃの上に取り付けられる側部のセッテング材７ｃとがある。
【００１６】
水下側のセッテング材７ａの水下側にはアルミニムのような金属にて各パイプ状に形成せる支持材１２は配設され、この支持材１２は支持材１２から固定ビス１６を打入して水下側立ち上がり枠部１ａに固定してある。この支持材１２は水下側のセッテング材７ａと後述する上カバー８を支持する役目を果たすようになっている。上カバー８はアルミニウムのような金属で形成されており、断面略逆Ｌ字状で矩形枠状に枠組みされている。この上カバー８は複層ガラス５の周縁に沿うように被着され、上カバー８にて複層ガラス５の周縁の上面、支持台部１５や支持材１２が覆われている。この上カバー８は固定ビス１７を支持台部１５や支持材１２や立ち上がり枠１の上部に打入して固定してある。上カバー８と複層ガラス５の周縁の上面との間は防水パッキン９にてシールしてある。
【００１７】
水上側立ち上がり枠部１ｂや側部立ち上がり枠部１ｃでは複層ガラス５の周縁の上面から支持台部１５を介して水上側立ち上がり枠部１ｂや側部立ち上がり枠部１ｃの外面まで至るように本体防水テープ１８を沿わせてあり、屋根面との間の防水をするようになっている。水下側立ち上がり枠部１ａでは載置面６から水下側立ち上がり枠部１ａの外面に至るように本体防水テープ１９を沿わせてあり、屋根面との間の防水をするようになっている。この水下側立ち上がり枠部１ａではさらに複層ガラス５の周縁の上面から支持材１２に至るように本体防水テープ２０を沿わせてある。支持材１２と載置面６との間では隙間を隔ててあると共に本体防水テープ１９と本体防水テープ２０が離れており、この部分に排水口２１を形成してある。
【００１８】
水下側立ち上がり枠部１ｂでは水下側のセッテング材７ａが沿わせられるが、このセッテング材７ａは複層ガラス５と支持材１２との間に沿う縦片２２と複層ガラス５の下面に沿う第１横片２３と支持材１２の下面に沿う第２横片２４とで断面略逆Ｔ字状に形成されている。本発明ではセッテング材７ａが水下側立ち上がり枠部１ｂの全長に亙るように取り付けられ、このセッテング材７ａの第１横片２３及び第２横片２４の下面には内外に貫通するように２条の排水溝１０を穿設してある。本例の場合、排水溝１０は支持材１２に至らないように穿設してある。第１横片２３の下面には傾斜面１３を形成してあり、この傾斜面１３は水上側ほどガラス面に近接するように傾斜している。第１横片２３の水上側の先端は鋭角に尖っており、傾斜面１３とガラス面とが面一になるようになっている。この傾斜面１３を設けることで傾斜面１３と載置面６との間に長手方向に亙る水受け部１１を形成してある。この水受け部１１は排水溝１０を介して排水口２１に連通している。
【００１９】
水下側立ち上がり枠部１ｂの載置面６の水上側の端部には上方に隆起した隆起部１４を設けてあり、水受け部１１に溜まった水が室内側に零れないようにしてある。セッテング材７ａの第１横片２３の水上側の先端は水下側の封止スペーサ４の水上側の端縁よりｄ寸法だけ水上側に突出している。またセッテング材７ａの第１横片２３の上面には微小突起２６を設けてあり、この微小突起２６にて複層ガラス５の周縁の下面との間に空隙２７が形成されるようにしてある。
【００２０】
複層ガラス５の下面に結露した結露水Ｗは水勾配にてガラス面に沿って水下に流れ、傾斜面１３を伝って水受け部１１に受けられ、水受け部１１にて受けられた結露水Ｗが排水溝１０を通って排水口２１から外部に排出される。このときセッテング材７ａの第１横片２３の水上側の先端が鋭角に尖っていると共に傾斜面１３を有しているために結露水Ｗが滞留することなく水受け部１１にスムーズに流れて受けられる。またセッテング材７ａの第１横片２３が上記のようにｄ寸法突出して封止スペーサ４の部分を覆うようにしてあるため、封止スペーサ４からの伝熱を抑制し、ガラス端部の温度低下を抑制することができる。また水下側のセッテング材７ａは水下側立ち上がり枠部１ａの全長に亙って設けたことにより、ガラス端部の温度低下を抑制することができる。またセッテング材７ａの支持材１２に接する第２横片２５でも排水溝１０を穿設するときに樹脂部を残すように加工しているために金属よりなる支持材１２からの伝熱を抑制でき、排水経路の凍結を防止したり抑制したりできる。また第１横片２３と複層ガラス５の周縁の下面との間に微小突起２６にて空隙２７を形成すると、この部分で断熱性が得られ、伝熱を防止して冷却されるのを防止できる。
【００２１】
上記例ではセッテング材７ａの第２横片２４に排水溝１０を設けるとき、樹脂部を残すように設けたが、図５に示すように支持材１２に至るように排水溝１０を設けてもさほど問題なく実施することができる。
【００２２】
【発明の効果】
本発明の請求項１の発明は、立ち上がり枠の水下側に位置する水下側立ち上がり枠部上では水下側のセッテング材を水下側立ち上がり枠部の全長に亙るように介装し、複層ガラスの下面に結露した結露水を受ける水受け部を水下側立ち上がり枠部の載置面と水下側のセッテング材の複層ガラスの下面に沿わせる部分との間に全長に亙って形成し、水受け部に溜まった結露水を外部に排出するための排水溝を水下側のセッテング材の下面に凹設したので、複層ガラスの下面に結露した結露水は水勾配に沿ってガラス面を流れて水受け部に受けられ、水受け部に受けられた結露水が排水溝を通って外部に排水され、結露水が室内に滴下するおそれがなくなるものであり、しかも立ち上がり枠の水下側に位置する水下側立ち上がり枠部上では水下側のセッテング材を水下側立ち上がり枠部の全長に亙るように介装してあると共に排水溝を水下側のセッテング材の下面に凹設してあるので、水下側のセッテング材と載置面との間に排水溝を設けるものでも、複層ガラスの水下側の端部の下面が断熱性のあるセッテング材にて全長に亙って覆われることで複層ガラスの水下側が冬季に冷気に晒されることがなくなり、結露を抑えることができると共に排水部分に凍結するおそれが少なくなり、室内に結露水が滴下するおそれが少なくなるものである。また水下側のセッテング材の複層ガラスの下面に沿わせる部分の下面を水下側から水上側に行くほど複層ガラスの下面に近接し且つ水上側の端部では複層ガラス下面と略面一になるように傾斜した傾斜面とし、この傾斜面を複層ガラスの下面から排水溝の部分まで亙って連続するように形成したので、複層ガラスの下面に結露した結露水が水下側に流れて水受け部を介して排水溝から排水されるとき、結露水が傾斜面に沿って滞留することなく、スムーズに流れるものであり、従って、結露水がセッテング材の部分に滞留したり滞留して凍結したりすることがなくなり、室内に結露するおそれが少なくなり、室内に結露水が滴下するおそれが少なくなるものである。
【００２４】
また本発明の請求項２の発明は、請求項１において、水下側のセッテング材の複層ガラスの下面に沿わせる部分の水上側の先端を、複層ガラスの水下側に沿う封止スペーサの水上側の端縁より水上側に位置させたので、封止スペーサから冷熱の伝熱を抑制でき、複層ガラスの水下側の温度低下を抑制し、結露や凍結を抑制できるものである。
【００２５】
また本発明の請求項３の発明は、請求項１または請求項２において、水下側立ち上がり枠部の載置面の水上側の端縁に水受け部から水が零れるのを防止するための隆起部を設けたので、水受け部に受けられた結露水が水上側に行くのが阻止され、たとえ凍結しても室内に結露水が零れるのを抑えることができるものである。
【図面の簡単な説明】
【図１】本発明の実施の形態の一例を示す正面から見た断面図である。
【図２】同上の側面から見た断面図である。
【図３】（ａ）は水下側のセッテング材を取り付ける位置を示す説明図、（ｂ）は水下側のセッテング材を取り付ける状態を示す斜視図である。
【図４】同上の要部拡大断面図である。
【図５】同上の他の例の断面図である。
【図６】従来例の正面から見た断面図である。
【図７】（ａ）は従来例の水下側のセッテングブロックを取り付ける位置を示す説明図、（ｂ）は水下側のセッテングブロックを取り付ける状態を示す斜視図である。
【符号の説明】
１  立ち上がり枠
１ａ  水下側立ち上がり枠部
２  ガラス
３  ガラス
４  封止スペーサ
５  複層ガラス
６  載置面
７  セッテング材
７ａ  水下側のセッテング材
８  上カバー
１０  排水溝
１１  水受け部
１２  支持材
１３  傾斜面
１４  隆起部
【図１】
0003603846.tif 000002
【図２】
0003603846.tif 000003
【図３】
0003603846.tif 000004
【図４】
0003603846.tif 000005
【図５】
0003603846.tif 000006
【図６】
0003603846.tif 000007
【図７】
0003603846.tif 000008